(57)【特許請求の範囲】
【請求項１】
略円筒状の胴体部にハンドル部を側面視略Ｔ字状に連設して成るハウジングと、該ハウジングの下部に取り付けられた射出部と、該射出部に取り付けられたマガジンと、ハウジング内に収納されたモータと、該モータを駆動するための電池パックと、ハウジングに回転可能に支持されて前記モータによって回転駆動されるフライホイールと、該フライホイールの回転によってハウジング内を直線移動して前記射出部内に供給された釘を打ち込むプランジャとを備えて成る携帯用釘打機において、
前記マガジンを、側面視で前記ハウジングの胴体部に対して斜めであって、且つ、底面視で前記ハウジングのハンドル部に対して斜めに取り付け、マガジン上端部を側面視で電池パックとオーバーラップさせると共にマガジン上端を電池パック上端より下方に位置させ、更に電池パック上端を前記ハンドル部の上端より下方に位置させたことを特徴とする携帯用釘打機。
【請求項２】
電池パックと、一端に前記電池パックを取り付けたハンドル部と、前記ハンドル部の他端に接続された胴体部と、前記胴体部に接続された射出部とを備えて成る携帯用釘打機において、
前記マガジンを、側面視で前記ハウジングの胴体部に対して斜めであって、且つ、底面視で前記ハウジングのハンドル部に対して斜めに取り付け、マガジン上端部を側面視で電池パックとオーバーラップさせると共にマガジン上端を電池パック上端より下方に位置させ、更に電池パック上端を前記ハンドル部の上端より下方に位置させたことを特徴とする携帯用釘打機。
【発明の詳細な説明】
【技術分野】
【０００１】
本発明は、電池によって発生される駆動力によって釘を打ち込むための携帯用釘打機に関するものである。
【背景技術】
【０００２】
この種の携帯用釘打機は、略円筒状の胴体部にハンドル部を側面視略Ｔ字状に連設して成るハウジングと、該ハウジングの下部に取り付けられた射出部と、該射出部に取り付けられたマガジンと、ハウジング内に収納されたモータと、該モータを駆動するための電池と、ハウジングに回転可能に支持されて前記モータによって回転駆動されるフライホイールと、該フライホィールの回転によってハウジング内を直線移動して前記射出部内に供給された釘を打ち込むプランジャを備えて構成されている。
【０００３】
ところで、斯かる携帯用釘打機には、階段状に連結された釘をマガジン内に収納するタイプのものが存在するが、このようなものにあっては、マガジンは釘の連結角度と同じ角度で側面視斜めに傾斜した状態でハウジングに取り付けられている（例えば、特許文献１参照）。
【０００４】
他方、従来の携帯用釘打機は、ハウジングの胴体部を打込側に押し付け易くするために、ハンドル部をできるだけ水平に近い角度で形成していた。又、ハウジングのハンドル部の末端部（胴体部とは逆側の自由端部）を胴体部よりも低く抑えることによって、狭い場所での使い易さに配慮していた。
【特許文献１】特開平６−２７８０５１号公報
【発明の開示】
【発明が解決しようとする課題】
【０００５】
しかしながら、階段状に連結された多数の釘を収納するマガジンをハウジングに側面視で斜めに取り付けて成る従来の携帯用釘打機においては、マガジンとの干渉を避けるためにハンドル部も同様に傾ける必要があるが、ハンドル部を傾け過ぎると胴体部を打込側に押し付けにくくなるという問題があった。又、ハウジングのハンドル部の末端部が胴体側の上端部よりも高くなると、当該携帯用釘打機の全高が高くなり、狭い場所での使い勝手が悪く、作業性が低下するという問題があった。
【０００６】
本発明は上記問題に鑑みてなされたもので、その目的とする処は、マガジンを水平に対して傾けて取り付けた場合であっても、ハンドル部を打込側に押し付け易く、狭い場所でも使い易いコンパクトな携帯用釘打機を提供することにある。
【課題を解決するための手段】
【０００７】
上記目的を達成するため、請求項１記載の発明は、略円筒状の胴体部にハンドル部を側面視略Ｔ字状に連設して成るハウジングと、該ハウジングの下部に取り付けられた射出部と、該射出部に取り付けられたマガジンと、ハウジング内に収納されたモータと、該モータを駆動するための電池パックと、ハウジングに回転可能に支持されて前記モータによって回転駆動されるフライホイールと、該フライホイールの回転によってハウジング内を直線移動して前記射出部内に供給された釘を打ち込むプランジャを備えて成る携帯用釘打機において、
前記マガジンを、側面視で前記ハウジングの胴体部に対して斜めであって、且つ、底面視で前記ハウジングのハンドル部に対して斜めに取り付け、マガジン上端部を側面視で電池パックとオーバーラップさせると共にマガジン上端を電池パック上端より下方に位置させ、更に電池パック上端を前記ハンドル部の上端より下方に位置させたことを特徴とする。
【００１０】
請求項２記載の発明は、電池パックと、一端に前記電池パックを取り付けたハンドル部と、前記ハンドル部の他端に接続された胴体部と、前記胴体部に接続された射出部とを備えて成る携帯用釘打機において、
前記マガジンを、側面視で前記ハウジングの胴体部に対して斜めであって、且つ、底面視で前記ハウジングのハンドル部に対して斜めに取り付け、マガジン上端部を側面視で電池パックとオーバーラップさせると共にマガジン上端を電池パック上端より下方に位置させ、更に電池パック上端を前記ハンドル部の上端より下方に位置させたことを特徴とする。
【発明の効果】
【００１１】
請求項１、２記載の発明によれば、マガジンを水平に対して傾けて取り付けた場合であっても、該マガジンを避けてハンドル部の姿勢を水平に近い角度にすることができ、該ハンドル部を把持して当該携帯用釘打機を打込側に押し付け易くなり、打込作業を安定的に行うことができる。
またマガジン上端部を側面視で電池パックとオーバーラップさせると共にマガジン上端を電池パック上端より下方に位置させ、更に電池パック上端を前記ハンドル部の上端より下方に位置させるようにしたため、ハンドル部の末端部の高さを低く抑えることができ、釘打機をコンパクト化でき、狭い場所での使え勝手が良くなる。更に重量物である電池パックを低い位置に配置できるようになり、重量バランスが向上し、操作性が向上する等の作用効果を奏し得るようになる。
【発明を実施するための最良の形態】
【００１４】
以下に本発明の実施の形態を、携帯用釘打機の一形態としての電動釘打機を例として添付図面に基づいて説明する。
【００１５】
図１は本発明に係る電動式釘打機（携帯用釘打機）の左側面図、図２は同電動式釘打機の底面図、図３は同電動式釘打機の内部構造を示す破断右側面図、図４は同電動式釘打機を用いた釘打作業を示す側面図、図５は階段状に連結された釘の側面図である。尚、以下において、電動式釘打機の左右とは、作業者が当該電動式釘打機をそのハンドル部を把持して作業を行う場合に作業者から電動式釘打機を見た場合の左右を意味するものとする。又、平面視とは、図１において電動式釘打機を上方から見ることであり、底面視とは図１において電動式釘打機を下方から見るものと定義する。
【００１６】
本実施の形態に係る電動式釘打機１において、２は外郭部材である樹脂製のハウジングであり、このハウジング２は、略円筒状の胴体部２Ａと、該胴体部２Ａに側面視で略Ｔ字状に連接されたハンドル部２Ｂとで構成されている。そして、このハウジング２のハンドル部２Ｂの末端部（胴体部２Ａとは逆側の自由端部）には、電源としての不図示の電池を収納するための電池パック３が設けられている。又、ハウジング２のハンドル部２Ｂの胴体部２Ａに近い部分にはトリガスイッチ４が設けられている。
【００１７】
又、図１に示すように、ハウジング２の下端には射出部１７が設けられており、その射出部１７には、平坦な矩形ボックス状のマガジン５が側面視で胴体部２Ａに対して斜めに取り付けられており、このマガジン５内には、図５に示すように、階段状に連結された多数の釘６が収納されている。より具体的には、マガジン５は、その一端がハウジング２の胴体部２Ａの先端に設けられた射出部１７（図１の下端部）に取り付けられ、他端がハウジング２のハンドル部２Ｂの末端部の電池パック３近傍に取り付けられ、図１に示す状態で、ハウジング２の胴体部２Ａの先端に設けられた射出部１７からハンドル部２Ｂの末端部に向かって斜め上方に傾斜している。このため、マガジン５は、ハウジング２の胴体部２Ａとハンドル部２Ｂとで側面視で三角形を形成している。
【００１８】
而して、本実施の形態に係る電動式釘打機（携帯用釘打機）１は、図２に示すように、前記マガジン５を底面視（射出部１７の射出口１７ａ側から見た場合）でハウジング２のハンドル部２Ｂに対して斜めに取り付けたことを特徴としている。より具体的には、マガジン５は、底面視でハウジング２の胴体部２Ａの先端に設けられた射出部１７を中心として全体がハンドル部２Ｂに対して左方向（図２の上方向）に所定の角度θだけ振られることによって、前述のように底面視でハウジング２のハンドル部２Ｂに対して斜めに取り付けられている。尚、本実施の形態では、マガジン５を底面視でハウジング２の胴体部２Ａの先端に設けられた射出部１７を中心として左方向に振ることによってハンドル部２Ｂに対して斜めに取り付けたが、逆にマガジン５を右方向（図２の下方向）に振ることによってこれをハンドル部２Ｂに対して斜めに取り付けるようにしても良い。
【００１９】
以上のように、マガジン５は、側面視でハウジング２の胴体部２Ａに対して斜めであって、且つ、底面視でハウジング２のハンドル部２Ｂに対して斜めに取り付けられるが、図１に示すように、その一部は側面視でハウジング２のハンドル部２Ｂの末端部に設けられた電池パック３とオーバーラップするよう配置されるとともに、図２に示すように、底面視ではそのオーバーラップ部分が電池パック３と干渉（オーバーラップ）しないよう該マガジン５がハンドル部２Ｂに対して斜めに取り付けられている。従って、平面視におけるマガジン５のハウジング２のハンドル部２Ｂに対する傾斜角θ（図２参照）は、該ハウジング２の一部（側面視で電池パック３とオーバーラップする部分）が底面視で電池パック３に干渉しないような値に設定されている。
【００２０】
次に、ハウジング２の内部構造を図３に基づいて説明する。
【００２１】
ハウジング２の胴体部２Ａ内には、駆動源としてのモータ７が横置き状態で収納されており、このモータ７から該モータ７の回転中心方向（図３の紙面垂直方向）に延びる出力軸（モータ軸）８の端部には駆動ギヤ９が結着されている。
【００２２】
又、ハウジング２の胴体部２Ａ内の前記モータ７の横には、回転可能な不図示の従動軸がモータ７の出力軸８と平行に配されており、この従動軸にはピニオン１０が結着されるとともに、フライホイール１１が回転可能に支承され、このフライホイール１１は、前記駆動ギヤ９に噛合している。
【００２３】
ところで、図示しないが、前記フライホイール１１と従動軸の間には、これらの連結を選択的にＯＮ／ＯＦＦするためのクラッチ機構が設けられており、このクラッチ機構は、フライホイール１１と従動軸に巻装されたクラッチスプリング、該クラッチスプリングを従動軸の外周に巻き付けるためのアクチュエータとしての電磁ソレノイド、該電磁ソレノイドを駆動するための駆動回路等によって構成されている。
【００２４】
又、ハウジング２の胴体部２Ａ内には、前記ピニオン１０に噛合するプランジャ１２がガイドレール１３に沿って図３の上下方向に往復直線運動可能に収納されており、このプランジャ１２の先端（図３の下端）には、釘６を押し出すためのブレード（打込み部）１４が取り付けられている。尚、プランジャ１２は、不図示のリターンスプリングによって初期位置に戻る方向（図３の上方）に付勢されている。
【００２５】
次に、以上の構成を有する電動式釘打機１の作用について説明する。
【００２６】
作業者が図４に示すようにハウジング２のハンドル部２Ｂを把持して当該電動式釘打機１を片手で支え、トリガスイッチ４を引いてこれをＯＮすると、電池パック３内に収容された電池を電源としてモータ７が駆動され、該モータ７の出力軸８の回転は駆動ギヤ９からフライホイール１１に伝達され、該フライホイール１１が回転駆動されてこれに回転エネルギーが蓄積される。尚、このとき、クラッチ機構はＯＦＦ状態にあって、フライホイール１１と従動軸とは非連結状態にあり、フライホイール１１は従動軸に対して自由回転（空転）し、該フライホイール１１から従動軸への動力（回転エネルギー）の伝達は遮断されている。
【００２７】
そして、所定時間経過後に不図示の駆動回路によって電磁ソレノイドに通電され、該電磁ソレノイドが駆動されると、クラッチ機構がＯＮされてフライホイール１１と従動軸とが連結され、フライホイール１１の回転エネルギーが従動軸に伝達されて該従動軸が回転駆動される。このように従動軸が回転駆動されると、この従動軸に結着されたピニオン１０も一体に回転し、これに噛合するプランジャ１２を不図示のリターンスプリングの付勢力に抗して打込方向（図３の下方）に押し出す。すると、プランジャ１２の先端に取り付けられたブレード１４も同方向に押し出され、マガジン５内に収容された釘６にブレード１４の先端が衝突し、この衝突力によって釘６が射出部１７の射出口１７ａから押し出されて図４に示す被打込材としての例えば木材Ｗに打ち込まれる。
【００２８】
上述のようにして木材Ｗに釘６が打ち込まれると、電磁ソレノイドへの通電が遮断されて該電磁ソレノイドの駆動がＯＦＦされ、クラッチ機構もＯＦＦされてフライホイール１１と従動軸との連結がＯＦＦされる。すると、従動軸はフライホイール１１に対して自由に回転することが可能となるため、プランジャ１２及びこれに取り付けられたブレード１４が不図示のリターンスプリングの付勢力によって図３の上方へ移動して元の初期位置に戻る。
【００２９】
而して、以上の動作を繰り返すことによって、図４に示す木材Ｗに図５に示す釘６を連続的に打ち込むことができる。
【００３０】
以上において、本実施の形態に係る電動式釘打機１においては、階段状に連結された図５に示す釘６を収容したマガジン５を水平に対して傾けて取り付けた場合であっても、ハウジング２のハンドル部２Ｂを避けてマガジン５を取り付け、ハンドル部２Ｂを水平に近い角度にすることができ、更に電動式釘打機１全体の長さも短くすることができ、該ハンドル部２Ｂを把持して当該電動式釘打機１を打込側に押し付け易くなり、釘６の打込作業を安定的に行うことができる。
【００３１】
又、マガジン５を、その一部が側面視でハウジング２のハンドル部２Ｂの末端部、或は電池パック３とオーバーラップするよう配置したため、ハンドル部２Ｂの末端部の高さ（胴体部２Ａの先端打込部からの高さ）を低く抑え、或は胴体部２Ａの全長を短縮することができ、当該電動式釘打機１がコンパクト化され、図４に示すような狭い場所での使い勝手が良くなり、狭い場所でも作業性良く釘打ちを行うことができる。
【００３２】
更に、本実施の形態では、図２に示すように、ハウジング２のハンドル部の末端部に設けられた電池パック３との干渉を避けてマガジン５を平面視でハンドル部２Ａに対して斜めに取り付けたため、電池パック３の着脱が容易となり、該電池パック３の交換を容易且つ迅速に行うことができる。又、マガジン５を平面視でハウジング２のハンドル部２Ｂに対して斜めに取り付けても、重量物である電池パック３を低い位置に配置できるため、電動式釘打機（携帯用釘打機）１の重量バランスが良好になり、その操作性が害されることがない。
【００３３】
尚、以上の実施の形態では、携帯用釘打機の一例として電動式釘打機について説明したが、電池によってスパーク（火花）を飛ばし、ガスを燃焼させたときの爆発力（燃焼エネルギー）によって釘を打ち込むガス釘打機等の他の携帯用釘打機に対しても本発明を同様に適用することができることは勿論である。
【図面の簡単な説明】
【００３４】
【図１】本発明に係る電動式釘打機の左側面図である。
【図２】本発明に係る電動式釘打機の底面図である。
【図３】本発明に係る電動式釘打機の内部構造を示す破断右側面図である。
【図４】本発明に係る電動式釘打機を用いた釘打作業を示す側面図である。
【図５】階段状に連結された釘の側面図である。
【符号の説明】
【００３５】
１      電動式釘打機（携帯用釘打機）
２      ハウジング
２Ａ    胴体部
２Ｂ    ハンドル部
３      電池パック
４      トリガスイッチ
５      マガジン
６      釘
７      モータ
８      出力軸（モータ軸）
９      駆動ギヤ
１０    ピニオン
１１    フライホイール
１２    プランジャ
１３    ガイドレール
１４    ブレード
１７    射出部
１７ａ  射出口
Ｗ      木材
【図１】
0004505818.tif 000002
【図２】
0004505818.tif 000003
【図３】
0004505818.tif 000004
【図４】
0004505818.tif 000005
【図５】
0004505818.tif 000006